(57)【要約】【課題】HD放送の番組コンテンツを、放送の解像度と同じ解像度で録画することができるようにする。【解決手段】録画対象の番組コンテンツがHD放送であり、放送中の番組コンテンツの解像度がSDの解像度である場合、解像度情報取得部５２は、チャンネル別DB６２または放送波別DB６１から、録画対象の番組コンテンツに対応するチャンネルの解像度情報を取得する。また、データベース更新部５４は、放送波別DB６１のHDの解像度と、解像度情報取得部５２から供給されたHDの解像度が異なっていた場合、解像度情報取得部５２から供給されたHDの解像度で、チャンネル別DB６２を更新する。本発明は、HDDにデータを記録したり、HDDに記録されたデータを再生する記録再生装置に適用することができる。【選択図】図３
2010068284.tif 000002
【特許請求の範囲】
【請求項１】
HD放送の解像度情報をチャンネル毎に記憶する第１のデータベースと、
録画対象のHD放送の番組コンテンツの録画開始前に、録画対象のチャンネルにおいて放送中の番組コンテンツがHD放送であった場合、前記放送中の番組コンテンツの解像度情報を取得し、
前記放送中の番組コンテンツがSD放送であった場合、前記第１のデータベースから、前記録画対象のHD放送の番組コンテンツのチャンネルに対応する前記HD放送の解像度情報を取得する解像度情報取得手段と、
前記解像度情報取得手段により取得された前記HD放送の解像度情報に基づいて、前記録画対象のHD放送の番組コンテンツを記録媒体に記録する記録手段と
を備える記録装置。
【請求項２】
前記HD放送の解像度情報を放送波毎に記憶する第２のデータベースをさらに備え、
前記第１のデータベースは、前記解像度情報取得手段により取得された前記放送中の番組コンテンツの解像度情報と、前記放送中の番組コンテンツの放送波に対応する前記第２のデータベースの前記HD放送の解像度情報とが異なるチャンネルのみの前記HD放送の解像度情報をチャンネル毎に記憶し、
前記解像度情報取得手段は、前記録画対象のHD放送の番組コンテンツの録画開始前に、前記放送中の番組コンテンツがSD放送であり、かつ、前記第１のデータベースに、前記録画対象のHD放送の番組コンテンツのチャンネルに対応する前記HD放送の解像度情報がない場合、前記第２のデータベースから、前記録画対象のHD放送の番組コンテンツの放送波に対応する前記HD放送の解像度情報を取得する
請求項１に記載の記録装置。
【請求項３】
前記放送中の番組コンテンツがHD放送であった場合に、前記解像度情報取得手段により取得された前記放送中の番組コンテンツの解像度情報と、前記放送中の番組コンテンツの放送波に対応する前記第２のデータベースの前記HD放送の解像度情報とを比較し、それらが異なり、かつ、前記第１のデータベースに、前記放送中の番組コンテンツのチャンネルに対応する前記HD放送の解像度情報がないとき、前記放送中の番組コンテンツの解像度情報で、前記放送中の番組コンテンツのチャンネルに対応する前記第１のデータベースの前記HD放送の解像度情報を更新する更新手段をさらに備える
請求項２に記載の記録装置。
【請求項４】
前記解像度取得手段は、録画対象のSD放送の番組コンテンツの録画開始後にも、前記録画対象のチャンネルにおいて前記放送中の番組コンテンツがHD放送であった場合、前記放送中の番組コンテンツの解像度情報を取得し、
前記更新手段は、前記解像度情報取得手段により取得された前記放送中の番組コンテンツの解像度情報と、前記放送中の番組コンテンツの放送波に対応する前記第２のデータベースの前記HD放送の解像度情報とを比較し、それらが異なり、かつ、前記第１のデータベースに、前記放送中の番組コンテンツのチャンネルに対応する前記HD放送の解像度情報がないとき、前記放送中の番組コンテンツの解像度情報で、前記放送中の番組コンテンツのチャンネルに対応する前記第１のデータベースの前記HD放送の解像度情報を更新する
請求項３に記載の記録装置。
【請求項５】
前記放送中の番組コンテンツがHD放送であった場合に、前記解像度情報取得手段により取得された前記放送中の番組コンテンツの解像度情報と、前記放送中の番組コンテンツのチャンネルに対応する前記第１のデータベースの前記HD放送の解像度情報とを比較し、それらが異なるとき、前記放送中の番組コンテンツの解像度情報で、前記放送中の番組コンテンツのチャンネルに対応する前記第１のデータベースの前記HD放送の解像度情報を更新する更新手段をさらに備える
請求項１に記載の記録装置。
【請求項６】
前記解像度取得手段は、録画対象のSD放送の番組コンテンツの録画開始後にも、前記録画対象のチャンネルにおいて前記放送中の番組コンテンツがHD放送であった場合、前記放送中の番組コンテンツの解像度情報を取得し、
前記更新手段は、前記解像度情報取得手段により取得された前記放送中の番組コンテンツの解像度情報と、前記放送中の番組コンテンツのチャンネルに対応する前記第１のデータベースの前記HD放送の解像度情報とを比較し、それらが異なるとき、前記放送中の番組コンテンツの解像度情報で、前記放送中の番組コンテンツのチャンネルに対応する前記第１のデータベースの前記HD放送の解像度情報を更新する
請求項５に記載の記録装置。
【請求項７】
記録装置が、
録画対象のHD放送の番組コンテンツの録画開始前に、録画対象のチャンネルにおいて放送中の番組コンテンツがHD放送であった場合、前記放送中の番組コンテンツの解像度情報を取得し、
前記放送中の番組コンテンツがSD放送であった場合、HD放送の解像度情報をチャンネル毎に記憶するデータベースから、前記録画対象のHD放送の番組コンテンツのチャンネルに対応する前記HD放送の解像度情報を取得し、
取得された前記HD放送の解像度情報に基づいて、前記録画対象のHD放送の番組コンテンツを記録媒体に記録するステップを
含む記録方法。
【請求項８】
録画対象のHD放送の番組コンテンツの録画開始前に、録画対象のチャンネルにおいて放送中の番組コンテンツがHD放送であった場合、前記放送中の番組コンテンツの解像度情報を取得し、
前記放送中の番組コンテンツがSD放送であった場合、HD放送の解像度情報をチャンネル毎に記憶するデータベースから、前記録画対象のHD放送の番組コンテンツのチャンネルに対応する前記HD放送の解像度情報を取得し、
取得された前記HD放送の解像度情報に基づいて、前記録画対象のHD放送の番組コンテンツを記録媒体に記録するステップを
含む処理をコンピュータに実行させるためのプログラム。
【発明の詳細な説明】
【技術分野】
【０００１】
本発明は、記録装置および方法、並びにプログラムに関し、特に、HD放送の番組コンテンツを、放送の解像度と同じ解像度で録画することができるようにした記録装置および方法、並びにプログラムに関する。
【背景技術】
【０００２】
現在、デジタル放送としては、地上デジタル放送、BS(Broadcasting Satellite)／CS(Communications Satellite) デジタル放送などが存在する。これらのデジタル放送においては、通常画質の標準放送(以下、SD(Standard Definition)放送と称する)と高画質のハイビジョン放送(以下、HD(High-Definition)放送と称する)の番組コンテンツが混在している。また、HD放送においては、1440×1080の解像度と1920×1080の解像度の番組コンテンツが混在している。
【０００３】
このようなデジタル放送において、番組コンテンツを番組の冒頭から録画する場合、その番組コンテンツがSD放送であるか、HD放送であるかの情報は、例えば、放送波に含まれるEIT(Event Information Table)などから予め取得することができる（例えば、特許文献１参照）。
【０００４】
【特許文献１】特開２００１−１０３３８８号公報
【発明の開示】
【発明が解決しようとする課題】
【０００５】
しかしながら、HD放送の番組コンテンツを番組の冒頭から録画する場合、その番組コンテンツの解像度が、1440×1080の解像度であるか、1920×1080の解像度であるかの情報を前もって取得することができなかった。
【０００６】
これに対応するために、録画開始時に録画対象の番組コンテンツのデータから解像度情報を取得することが考えられるが、この場合、番組コンテンツの頭部分が切れてしまう恐れがあった。
【０００７】
本発明はこのような状況に鑑みてなされたものであり、HD放送の番組コンテンツを、放送の解像度と同じ解像度で録画することができるようにするものである。
【課題を解決するための手段】
【０００８】
本発明の一側面の記録装置は、HD放送の解像度情報をチャンネル毎に記憶する第１のデータベースと、録画対象のHD放送の番組コンテンツの録画開始前に、録画対象のチャンネルにおいて放送中の番組コンテンツがHD放送であった場合、前記放送中の番組コンテンツの解像度情報を取得し、前記放送中の番組コンテンツがSD放送であった場合、前記第１のデータベースから、前記録画対象のHD放送の番組コンテンツのチャンネルに対応する前記HD放送の解像度情報を取得する解像度情報取得手段と、前記解像度情報取得手段により取得された前記HD放送の解像度情報に基づいて、前記録画対象のHD放送の番組コンテンツを記録媒体に記録する記録手段とを備える。
【０００９】
前記HD放送の解像度情報を放送波毎に記憶する第２のデータベースをさらに備え、前記第１のデータベースは、前記解像度情報取得手段により取得された前記放送中の番組コンテンツの解像度情報と、前記放送中の番組コンテンツの放送波に対応する前記第２のデータベースの前記HD放送の解像度情報とが異なるチャンネルのみの前記HD放送の解像度情報をチャンネル毎に記憶し、前記解像度情報取得手段は、前記録画対象のHD放送の番組コンテンツの録画開始前に、前記放送中の番組コンテンツがSD放送であり、かつ、前記第１のデータベースに、前記録画対象のHD放送の番組コンテンツのチャンネルに対応する前記HD放送の解像度情報がない場合、前記第２のデータベースから、前記録画対象のHD放送の番組コンテンツの放送波に対応する前記HD放送の解像度情報を取得することができる。
【００１０】
前記放送中の番組コンテンツがHD放送であった場合に、前記解像度情報取得手段により取得された前記放送中の番組コンテンツの解像度情報と、前記放送中の番組コンテンツの放送波に対応する前記第２のデータベースの前記HD放送の解像度情報とを比較し、それらが異なり、かつ、前記第１のデータベースに、前記放送中の番組コンテンツのチャンネルに対応する前記HD放送の解像度情報がないとき、前記放送中の番組コンテンツの解像度情報で、前記放送中の番組コンテンツのチャンネルに対応する前記第１のデータベースの前記HD放送の解像度情報を更新する更新手段をさらに備えることができる。
【００１１】
前記解像度取得手段は、録画対象のSD放送の番組コンテンツの録画開始後にも、前記録画対象のチャンネルにおいて前記放送中の番組コンテンツがHD放送であった場合、前記放送中の番組コンテンツの解像度情報を取得し、前記更新手段は、前記解像度情報取得手段により取得された前記放送中の番組コンテンツの解像度情報と、前記放送中の番組コンテンツの放送波に対応する前記第２のデータベースの前記HD放送の解像度情報とを比較し、それらが異なり、かつ、前記第１のデータベースに、前記放送中の番組コンテンツのチャンネルに対応する前記HD放送の解像度情報がないとき、前記放送中の番組コンテンツの解像度情報で、前記放送中の番組コンテンツのチャンネルに対応する前記第１のデータベースの前記HD放送の解像度情報を更新することができる。
【００１２】
前記放送中の番組コンテンツがHD放送であった場合に、前記解像度情報取得手段により取得された前記放送中の番組コンテンツの解像度情報と、前記放送中の番組コンテンツのチャンネルに対応する前記第１のデータベースの前記HD放送の解像度情報とを比較し、それらが異なるとき、前記放送中の番組コンテンツの解像度情報で、前記放送中の番組コンテンツのチャンネルに対応する前記第１のデータベースの前記HD放送の解像度情報を更新する更新手段をさらに備えることができる。
【００１３】
前記解像度取得手段は、録画対象のSD放送の番組コンテンツの録画開始後にも、前記録画対象のチャンネルにおいて前記放送中の番組コンテンツがHD放送であった場合、前記放送中の番組コンテンツの解像度情報を取得し、前記更新手段は、前記解像度情報取得手段により取得された前記放送中の番組コンテンツの解像度情報と、前記放送中の番組コンテンツのチャンネルに対応する前記第１のデータベースの前記HD放送の解像度情報とを比較し、それらが異なるとき、前記放送中の番組コンテンツの解像度情報で、前記放送中の番組コンテンツのチャンネルに対応する前記第１のデータベースの前記HD放送の解像度情報を更新することができる。
【００１４】
本発明の一側面の記録方法は、記録装置が、録画対象のHD放送の番組コンテンツの録画開始前に、録画対象のチャンネルにおいて放送中の番組コンテンツがHD放送であった場合、前記放送中の番組コンテンツの解像度情報を取得し、前記放送中の番組コンテンツがSD放送であった場合、HD放送の解像度情報をチャンネル毎に記憶するデータベースから、前記録画対象のHD放送の番組コンテンツのチャンネルに対応する前記HD放送の解像度情報を取得し、取得された前記HD放送の解像度情報に基づいて、前記録画対象のHD放送の番組コンテンツを記録媒体に記録するステップを含む。
【００１５】
本発明の一側面のプログラムは、録画対象のHD放送の番組コンテンツの録画開始前に、録画対象のチャンネルにおいて放送中の番組コンテンツがHD放送であった場合、前記放送中の番組コンテンツの解像度情報を取得し、前記放送中の番組コンテンツがSD放送であった場合、HD放送の解像度情報をチャンネル毎に記憶するデータベースから、前記録画対象のHD放送の番組コンテンツのチャンネルに対応する前記HD放送の解像度情報を取得し、取得された前記HD放送の解像度情報に基づいて、前記録画対象のHD放送の番組コンテンツを記録媒体に記録するステップを含む処理をコンピュータに実行させる。
【００１６】
本発明の一側面においては、録画対象のHD放送の番組コンテンツの録画開始前に、録画対象のチャンネルにおいて放送中の番組コンテンツがHD放送であった場合、前記放送中の番組コンテンツの解像度情報が取得される。また、前記放送中の番組コンテンツがSD放送であった場合、HD放送の解像度情報をチャンネル毎に記憶するデータベースから、前記録画対象のHD放送の番組コンテンツのチャンネルに対応する前記HD放送の解像度情報が取得される。そして、取得された前記HD放送の解像度情報に基づいて、前記録画対象のHD放送の番組コンテンツが記録媒体に記録される。
【００１７】
記録装置は、独立した装置であってもよいし、記録再生装置などの記録処理を行うブロックであってもよい。
【発明の効果】
【００１８】
本発明の一側面によれば、番組コンテンツを録画することができる。また、本発明によれば、HD放送の番組コンテンツを、放送の解像度と同じ解像度で録画することができる。
【発明を実施するための最良の形態】
【００１９】
［記録再生装置の構成例］
図１は、本発明の一実施形態に係る記録装置としての記録再生装置の構成例を示すブロック図である。
【００２０】
図１の記録再生装置１１は、例えば、HDD（Hard Disk Drive）レコーダなどで構成され、図示せぬアンテナで受信した放送波の番組コンテンツを記録したり、記録した番組コンテンツを再生する。
【００２１】
この記録再生装置１１においては、例えば、地上デジタル放送、BS(Broadcasting Satellite)／CS(Communications Satellite) デジタル放送などのデジタル放送の放送波が受信される。
【００２２】
デジタル放送では、通常画質の標準放送(以下、SD(Standard Definition)放送と称する)と高画質のハイビジョン放送(以下、HD(High-Definition)放送と称する)の番組コンテンツが混在している。また、HD放送においては、チャンネルによって、HDの解像度として、1440×1080の解像度および1920×1080の解像度のどちらか一方が採用されている。
【００２３】
なお、各チャンネルにおいて、SD放送であるかHD放送であるかは番組コンテンツによって変わる。また、各チャンネルにおいて、HD放送の解像度が、1440×1080の解像度または1920×1080の解像度であるかは、規格上変更することは可能である。ただし、このHD放送の解像度については、現状、実際には、例えば、放送局側の送信機材が更新されるような稀なタイミングで変更されることはあっても、番組コンテンツ毎に変更されるようなことはあまり行われていない。このことを踏まえて、図１の記録再生装置１１においては、後述する録画対象の番組コンテンツの解像度情報を決定する処理である録画準備処理が実行される。
【００２４】
図１の例において、記録再生装置１１は、デジタルチューナ２１、デマルチプレクサ２２、デコーダ２３、エンコーダ２４、HDD（Hard Disk Drive）２５、デコーダ２６、信号処理部２７、CPU(Central Processing Unit)３１、RAM(Random Access Memory)３２、および不揮発性メモリ３３により構成される。
【００２５】
図示せぬアンテナにより受信されたデジタル放送の放送波は、デジタルチューナ２１に供給される。デジタルチューナ２１は、受信された放送信号から、CPU３１の制御のもと、ユーザの選局に対応する放送信号を抽出して、復調し、トランスポートストリーム（TS : transport Stream）を生成し、デマルチプレクサ２２に出力する。
【００２６】
デマルチプレクサ２２は、多重化されたトランスポートストリームを、ビデオデータまたはオーディオデータなどのストリームや、セクションデータに分離する。デマルチプレクサ２２は、ビデオデータおよびオーディオデータをデコーダ２３に出力し、必要なセクションデータのみをCPU３１に出力する。
【００２７】
セクションデータには、PSI/SI(Program Specific Information/Service Information)などが含まれている。さらに、SIには、番組名、放送開始日時、番組長、番組内容、並びに、番組がSD放送であるか否かなど、番組コンテンツに関する情報が記述されているEIT(Event Information Table)が含まれている。
【００２８】
デコーダ２３に出力されるビデオデータおよびオーディオデータは、それぞれ所定の符号化方式で符号化されている。デコーダ２３は、ビデオデータおよびオーディオデータを、それぞれの所定の符号化方式に対応する復号方式で復号し、エンコーダ２４に出力する。また、デコーダ２３は、必要に応じて、復号したビデオデータをCPU３１にも供給する。
【００２９】
エンコーダ２４は、デコーダ２３により復号されたビデオデータおよびオーディオデータを、それぞれ所定の符号化方式で符号化し、符号化したビデオデータおよびオーディオデータを、HDD２５に出力する。ビデオデータを符号化する際、エンコーダ２４は、CPU３１により指示された解像度で符号化を行う。
【００３０】
HDD２５は、CPU３１の制御のもと、エンコーダ２４からのビデオデータおよびオーディオデータを記録したり、記録されているビデオデータおよびオーディオデータを読み出し、デコーダ２６に出力する。
【００３１】
デコーダ２６は、HDD２５からのビデオデータおよびオーディオデータを、それぞれ、エンコーダ２４が行う符号化方式に対応する復号方式で復号し、復号したビデオデータおよびオーディオデータを、信号処理部２７に出力する。信号処理部２７は、復号されたビデオデータおよびオーディオデータに、それぞれ所定の信号処理を行い、後段の図示せぬ表示装置やテレビジョン受像機に出力する。
【００３２】
CPU３１は、記録再生装置１１全体の動作を制御するメインコントローラである。CPU３１は、図示せぬ入力部から供給された入力信号やRAM３２にロードされたプログラムに基づいて、記録再生装置１１の各部を制御することにより、番組コンテンツの記録（録画）または再生を実行させる。
【００３３】
具体的には、CPU３１は、デマルチプレクサ２２からのセクションデータのそれぞれの情報をRAM３２に展開する。RAM３２に展開されたセクションデータのうち、保持すべきものは、CPU３１により形式を変換されて、RAM３２や不揮発性メモリ３３に保持される。例えば、EITは、不揮発性メモリ３３に保持される。
【００３４】
また、CPU３１は、図示せぬ入力部からのユーザの録画開始要求、または不揮発性メモリ３３の録画予約情報に基づいて、録画開始前に、録画対象の番組コンテンツの解像度情報を決定する処理である録画準備処理を開始する。
【００３５】
すなわち、CPU３１は、不揮発性メモリ３３のEITを確認し、録画対象の番組コンテンツがHD放送であるか、SD放送であるかを判定する。録画対象の番組コンテンツがHD放送である（すなわち、番組コンテンツの解像度がHDの解像度である）場合、CPU３１は、デコーダ２３からの放送中の番組コンテンツのビデオデータ、または、解像度情報DB４１より、対応する解像度情報を取得する。そして、CPU３１は、取得した解像度で、録画対象のコンテンツをエンコーダ２４に符号化させて、HDD２５に記録させる。また、CPU３１は、デコーダ２３からの放送中の番組コンテンツのビデオデータから取得されるHD放送の解像度情報を用いて、解像度情報DB４１の更新を行う。
【００３６】
一方、録画対象の番組コンテンツがSD放送である場合（すなわち、番組コンテンツの解像度がSDの解像度である）、CPU３１は、SDの解像度で、録画対象のコンテンツをエンコーダ２４に符号化させる。この場合も、CPU３１は、デコーダ２３からの放送中の番組コンテンツのビデオデータから取得されるHD放送の解像度情報を用いて、解像度情報DB４１の更新を行う。
【００３７】
RAM３２は、CPU３１の実行プログラムをロードしたり、実行プログラムの作業データを書き込むために使用される、書き込み可能な揮発性メモリである。
【００３８】
不揮発性メモリ３３には、EITなどの必要なセクションデータ、ユーザにより図示せぬ入力部を介して入力された録画予約情報、および解像度情報DB(Data Base)４１などが記憶される。
【００３９】
解像度情報DB４１には、HD放送の解像度情報が予め記憶されている。解像度情報DB４１は、録画対象の番組コンテンツの録画開始前に放送中の番組コンテンツのビデオデータから、HD放送の解像度情報が取得できなかったときに、CPU３１に利用される。また、解像度情報DB４１は、放送中の番組コンテンツのビデオデータから取得されたHD放送の解像度情報で更新される。
【００４０】
なお、図１の例においては、記録再生装置１１に内蔵されるHDD２５にデータを記録する例を説明したが、HDD２５に限らない。例えば、記録再生装置１１に、DVD(Digital Versatile Disk)やBlu-rayに代表される光ディスクなどの着脱可能な記録媒体とそのドライブを構成させ、HDD２５の代わりに、その記録媒体にデータを記録するようにしてもよい。
【００４１】
［記録再生装置の動作例］
ここで、記録再生装置１１の基本的な記録動作を説明する。
【００４２】
図示せぬアンテナにより受信されたデジタル放送の放送波は、デジタルチューナ２１に供給される。デジタルチューナ２１は、受信された放送信号から、CPU３１の制御のもと、ユーザの選局に対応する放送信号を抽出して、復調し、トランスポートストリームを生成し、デマルチプレクサ２２に出力する。
【００４３】
デマルチプレクサ２２は、多重化されたトランスポートストリームを、ビデオデータまたはオーディオデータなどのストリームや、セクションデータに分離する。デマルチプレクサ２２は、ビデオデータおよびオーディオデータをデコーダ２３に出力し、必要なセクションデータのみをCPU３１に出力する。
【００４４】
デコーダ２３は、ビデオデータおよびオーディオデータを、それぞれの所定の符号化方式に対応する復号方式で復号し、エンコーダ２４に出力する。
【００４５】
エンコーダ２４は、デコーダ２３により復号されたビデオデータを、CPU３１により指示された解像度で、所定の符号化方式で符号化し、符号化したビデオデータを、HDD２５に出力する。また、エンコーダ２４は、デコーダ２３により復号されたオーディオデータも、所定の符号化方式で符号化し、符号化したオーディオデータを、HDD２５に出力する。
【００４６】
HDD２５は、CPU３１の制御のもと、エンコーダ２４からのビデオデータおよびオーディオデータを記録する。
【００４７】
以上のように、図１の記録再生装置１１においては、受信された放送の番組コンテンツがHDD２５に記録される。
【００４８】
［録画開始前後の解像度の例］
次に、図２を参照して、録画対象の番組コンテンツ（以下、録画番組コンテンツとも称する）を番組の冒頭から録画する場合について説明する。
【００４９】
図２の例においては、録画番組コンテンツを番組の冒頭から録画する場合の録画対象チャンネルにおける録画開始前後の解像度（HD放送またはSD放送）の４つのケースが示されている。
【００５０】
ケース１は、録画番組コンテンツがHD放送であり、その前の番組コンテンツがHD放送であるケースである。ケース２は、録画番組コンテンツがHD放送であり、その前の番組コンテンツがSD放送であるケースである。
【００５１】
ケース３は、録画番組コンテンツがSD放送であり、その前の番組コンテンツがSD放送であるケースである。ケース４は、録画番組コンテンツがSD放送であり、その前の番組コンテンツがHD放送であるケースである。
【００５２】
ここで、録画番組コンテンツを番組の冒頭から録画を開始するためには、録画を開始する前、少なくとも録画を開始する直前には、録画番組コンテンツの解像度を決定する必要がある。各ケースにおいて、前の番組コンテンツと録画番組コンテンツの境界が番組の境界を表している。この境界（番組の冒頭）から録画番組コンテンツの録画を開始するために、矢印に示される録画準備開始点において、録画番組コンテンツの解像度を決定する処理である、録画準備処理が開始される。
【００５３】
ケース３とケース４のように、録画番組コンテンツがSD放送である場合、CPU３１は、予めEITから、録画番組コンテンツがSD放送である情報を取得することができるので、録画準備開始点において、録画番組コンテンツの解像度を決定することができる。
【００５４】
また、録画番組コンテンツがHD放送であっても、ケース１のように、録画番組コンテンツの前の番組コンテンツもHD放送である場合、CPU３１は、録画準備開始点において、前の番組コンテンツの解像度を取得することができる。これにより、CPU３１は、録画対象のチャンネルのHD放送の解像度が、1440×1080であるか、1920×1080であるかがわかるので、録画番組コンテンツの解像度を決定することができる。
【００５５】
ところが、ケース２の場合、CPU３１は、録画準備開始点において、前の番組コンテンツの解像度を取得したとしても、前の番組コンテンツがSD放送であるため、HD放送である録画番組コンテンツの解像度がわからない。
【００５６】
そこで、ケース２の場合、CPU３１は、解像度情報DB４１より、対応するチャンネルの解像度情報を取得する。これにより、HD放送である録画番組コンテンツの解像度を決定することができる。
【００５７】
なお、図２の例においては、番組の冒頭から録画を開始する例を説明したが、番組途中で録画開始する場合も上述したケース１乃至４のいずれかに当てはめることができる。
【００５８】
例えば、SD放送の番組コンテンツを番組途中で録画開始する場合、録画準備開始点において、録画対象の番組コンテンツのSDの解像度情報を取得することができる。すなわち、この場合は、図２におけるケース３に相当することになる。一方、HD放送の番組コンテンツを番組途中で録画開始する場合、録画準備開始点において、録画対象の番組コンテンツのHDの解像度情報を取得することができる。すなわち、この場合は、図２におけるケース１に相当することになる。
【００５９】
［記録再生装置の機能ブロックの構成例］
図３は、録画準備として、録画対象の解像度情報の決定を行う記録再生装置１１の機能構成例を示している。図３に示される機能ブロックは、図１のCPU３１により所定の制御プログラムが実行されることで実現される。
【００６０】
図３の機能ブロックは、番組情報取得部５１、解像度情報取得部５２、記録制御部５３、およびデータベース更新部５４により構成されている。また、図３の例においては、解像度情報DB４１は、第２のデータベースとしての放送波別DB(Data Base)６１、および、第１のデータベースとしてのチャンネル別DB(Data Base)６２の２つのデータベースで構成されている。
【００６１】
番組情報取得部５１は、不揮発性メモリ３３に記憶されているEITから、録画対象の番組コンテンツの解像度情報を取得し、その解像度情報を、解像度情報取得部５２に供給する。
【００６２】
解像度情報取得部５２は、番組情報取得部５１からの録画対象の番組コンテンツの解像度情報に基づいて、録画対象の番組コンテンツが、SD放送であるか、HD放送であるかを判定する。録画対象の番組コンテンツが、SD放送である場合、解像度情報取得部５２は、SDの解像度を、録画対象のコンテンツの解像度に決定し、決定した解像度情報を、記録制御部５３に供給する。
【００６３】
一方、録画対象の番組コンテンツがHD放送である場合、解像度情報取得部５２は、デコーダ２３からの放送中の番組コンテンツのビデオデータ、または、解像度情報DB４１より、対応する解像度情報を取得する。解像度情報取得部５２は、取得した情報の解像度を、録画対象のコンテンツの解像度に決定し、その解像度情報を、記録制御部５３に供給する。
【００６４】
すなわち、解像度情報取得部５２は、デコーダ２３からの放送中の番組コンテンツのビデオデータより解像度情報を取得し、放送中の番組コンテンツの解像度がHDの解像度であるか否かを判定する。放送中の番組コンテンツの解像度がHDの解像度である場合、解像度情報取得部５２は、放送中の番組コンテンツのHDの解像度を、録画対象のコンテンツの解像度に決定し、その解像度情報を、記録制御部５３に供給する。
【００６５】
放送中の番組コンテンツの解像度がSDの解像度である場合、解像度情報取得部５２は、チャンネル別DB６２から、録画対象の番組コンテンツに対応するチャンネルのHDの解像度情報を取得する。解像度情報取得部５２は、チャンネル別DB６２から取得した解像度情報の解像度を、録画対象のコンテンツの解像度に決定し、その解像度情報を、記録制御部５３に供給する。
【００６６】
チャンネル別DB６２から、録画対象の番組コンテンツに対応するチャンネルのHDの解像度情報が取得できなかった場合、解像度情報取得部５２は、放送波別DB６１から、録画対象の番組コンテンツに対応する放送波のHDの解像度情報を取得する。解像度情報取得部５２は、放送波別DB６１から取得した解像度情報の解像度を、録画対象のコンテンツの解像度に決定し、その解像度情報を、記録制御部５３に供給する。
【００６７】
また、解像度情報取得部５２は、デコーダ２３からの放送中の番組コンテンツのビデオデータから取得したHDの解像度情報を、放送中の番組コンテンツに対応する放送波およびチャンネルなどの情報とともに、データベース更新部５４に供給する。
【００６８】
記録制御部５３は、エンコーダ２４を制御し、解像度情報取得部５２により決定された解像度で、録画対象のコンテンツを符号化させ、HDD２５を制御し、エンコーダ２４により符号化されたデータを記録させる。
【００６９】
データベース更新部５４は、解像度情報取得部５２から供給されたチャンネルのHDの解像度情報で、解像度情報DB４１を更新する。すなわち、データベース更新部５４は、解像度情報取得部５２から供給された放送波に対応するHDの解像度を放送波別DB６１から検索し、検索されたHDの解像度と、解像度情報取得部５２から供給されたHDの解像度とを比較する。
【００７０】
データベース更新部５４は、放送波別DB６１から検索されたHDの解像度と、解像度情報取得部５２から供給されたHDの解像度が異なっていた場合、解像度情報取得部５２から供給されたHDの解像度で、チャンネル別DB６２を更新する。すなわち、データベース更新部５４は、解像度情報取得部５２から供給されたチャンネルのHDの解像度情報が、チャンネル別DB６２にない場合、そのチャンネルのHDの解像度情報を、チャンネル別DB６２に記憶し、チャンネル別DB６２を更新する。
【００７１】
放送波別DB６１は、HD放送の解像度情報を放送波毎に記憶している。チャンネル別DB６２は、HD放送の解像度情報をチャンネル毎に記憶している。
【００７２】
なお、放送波別DB６１の情報は、工場出荷時に記憶される。一方、チャンネル別DB６２の情報は、実際に放送中の番組コンテンツから取得された解像度と、放送波別DB６１に記憶されている解像度が異なる場合に記憶されていく。
【００７３】
［放送波データベースの構成例］
図４は、図３の放送波別DB６１の構成例を示している。
【００７４】
図４の例の放送波別DB６１は、放送波の種類と、HD放送の解像度が対応付けられて記憶されている。すなわち、放送波がBSデジタル放送の場合、HD放送の解像度は、1920（×1080）であることが記憶されている。また、放送波がCSデジタル放送の場合、HD放送の解像度は、1440（×1080）であることが記憶されている。放送波が地上波デジタル放送の場合、HD放送の解像度は、1440（×1080）であることが記憶されている。
【００７５】
［チャンネルデータベースの構成例］
図５は、図３のチャンネル別DB６２の構成例を示している。
【００７６】
図５の例のチャンネル別DB６２には、「BS103」チャンネルのHD放送の解像度が、1440（×1080）であることが記憶されている。また、「CS111」チャンネルのHD放送の解像度が、1920（×1080）であることが記憶されており、「地上波002」チャンネルのHD放送の解像度が、1920（×1080）であることが記憶されている。
【００７７】
現状、HD放送の解像度は、BSデジタル放送では1920であることが多く、CSデジタル放送では、1440であることが多く、地上波デジタル放送では、1440であることが多い。このような現状におけるHD放送の解像度に基づいて、放送波別DB６１の情報は、予め工場出荷時に記憶される。
【００７８】
しかしながら、工場出荷時の放送波別DB６１に記憶されている解像度と、実際の放送の解像度が異なる場合もある。したがって、実際に放送中の番組コンテンツからHD放送の解像度が取得されたタイミングで、放送波別DB６１の解像度と、実際のHD放送の解像度を比較して、異なる場合には、チャンネル別DB６２を更新する。
【００７９】
すなわち、工場出荷時には、チャンネル別DB６２には、情報が記憶されていない。工場出荷時の放送波別DB６１に記憶されている解像度と、実際の放送の解像度が異なる場合に、実際に放送中の番組コンテンツの解像度情報が、その番組コンテンツのチャンネルに対応付けて、チャンネル別DB６２に記憶される。
【００８０】
例えば、図５の「BS103」チャンネルのHD放送の解像度「1440」は、「BS103」チャンネルの放送波からHDの解像度情報が取得されたときに、図４の放送波別DB６１のBSデジタル放送の場合のHD放送の解像度「1920」と異なったため、記憶されたものである。図５の「CS111」チャンネルのHD放送の解像度「1920」は、「CS111」チャンネルの放送波からHDの解像度情報が取得されたときに、図４の放送波別DB６１のCSデジタル放送の場合のHD放送の解像度「1440」と異なったため、記憶されたものである。図５の「地上波002」チャンネルのHD放送の解像度「1440」は、「地上波002」チャンネルの放送波からHDの解像度情報が取得されたときに、図４の放送波別DB６１の地上波デジタル放送の場合のHD放送の解像度「1920」と異なったため、記憶されたものである。
【００８１】
これにより、あるチャンネルで、放送局側の送信機材が更新されるなどによりHD放送の解像度が変更された場合に、解像度DB４１の解像度情報を用いたとしても、変更後のHD放送の解像度、すなわち、実際のHD放送の解像度で録画することができる。
【００８２】
また、以上のように、解像度情報DB４１を、放送波別DB６１とチャンネル別DB６２で構成することで、解像度情報DB４１を記憶するメモリ領域を減らすことができる。
【００８３】
なお、図５の例においては、チャンネル別DB６２を、チャンネルと解像度の情報で構成するようにしたが、HDの解像度は、1440×1080の解像度または1920×1080の解像度の２種類の解像度しかない。したがって、チャンネル別DB６２を、放送波別DB６１のHD解像度とは異なるチャンネルの情報のみで構成することもできる。このように構成することで、図５の例よりも、さらに、メモリ領域を減らすことができる。
【００８４】
［記録再生装置による録画準備処理の例］
次に、図６のフローチャートを参照して、録画準備処理を説明する。入力部からのユーザの録画開始要求、または不揮発性メモリ３３の録画予約情報に基づいて、録画開始前（例えば、図２の録画準備開始点）に、図６の録画準備処理が開始される。
【００８５】
番組情報取得部５１は、不揮発性メモリ３３に記憶されているEITから、録画対象の番組コンテンツの解像度情報を取得し、その解像度情報を、解像度情報取得部５２に供給する。
【００８６】
ステップＳ１１において、解像度情報取得部５２は、番組情報取得部５１からの録画対象の番組コンテンツの解像度情報に基づいて、録画対象の番組コンテンツの解像度がHDの解像度であるかを判定する。ステップＳ１１において、録画対象の番組コンテンツの解像度がHDの解像度であると判定された場合、処理は、ステップＳ１２に進む。
【００８７】
録画対象の番組コンテンツがHD放送である場合、解像度情報取得部５２は、デコーダ２３からの放送中の番組コンテンツのビデオデータより解像度情報を取得し、ステップＳ１２において、放送中の番組コンテンツの解像度がHDの解像度であるか否かを判定する。ステップＳ１２において、放送中の番組コンテンツの解像度がHDの解像度ではないと判定された場合、処理は、ステップＳ１３に進む。すなわち、この場合、放送中の番組コンテンツの解像度がSDの解像度であり、上述した図２のケース２に相当する。
【００８８】
ステップＳ１３において、解像度情報取得部５２は、チャンネル別DB６２に、録画対象の番組コンテンツに対応するチャンネルの解像度情報があるか否かを判定する。ステップＳ１３において、チャンネル別DB６２に、対応するチャンネルの解像度情報があると判定された場合、処理は、ステップＳ１４に進む。
【００８９】
ステップＳ１４において、解像度情報取得部５２は、チャンネル別DB６２から、録画対象の番組コンテンツに対応するチャンネルの解像度情報を取得する。解像度情報取得部５２は、チャンネル別DB６２から取得した解像度情報の解像度を、録画対象のコンテンツの解像度に決定し、決定した解像度情報を、記録制御部５３に供給する。
【００９０】
ステップＳ１３において、チャンネル別DB６２に、対応するチャンネルの解像度情報がないと判定された場合、処理は、ステップＳ１５に進む。ステップＳ１５において、解像度情報取得部５２は、放送波別DB６１から、録画対象の番組コンテンツに対応する放送波の解像度情報を取得する。解像度情報取得部５２は、放送波別DB６１から取得した解像度情報の解像度を、録画対象のコンテンツの解像度に決定し、決定した解像度情報を、記録制御部５３に供給する。
【００９１】
ステップＳ１６において、記録制御部５３は、エンコーダ２４およびHDD２５を制御し、解像度情報DB４１から取得されたHDの解像度で、録画を開始させる。
【００９２】
すなわち、記録制御部５３は、エンコーダ２４を制御し、解像度情報DB４１（放送波別DB６１またはチャンネル別DB６２）から取得されたHDの解像度で、録画対象のコンテンツを符号化させ、HDD２５を制御し、エンコーダ２４により符号化されたデータを記録させる。
【００９３】
エンコーダ２４は、デコーダ２３により復号されたビデオデータを、解像度情報DB４１から取得されたHDの解像度で、所定の符号化方式で符号化し、符号化したビデオデータを、HDD２５に出力する。また、エンコーダ２４は、デコーダ２３により復号されたオーディオデータも、所定の符号化方式で符号化し、符号化したオーディオデータを、HDD２５に出力する。HDD２５は、記録制御部５３の制御のもと、エンコーダ２４からのビデオデータおよびオーディオデータを記録する。
【００９４】
また、ステップＳ１２において、放送中の番組コンテンツの解像度がHDの解像度であると判定された場合、処理は、ステップＳ１７に進む。すなわち、この場合、放送中の番組コンテンツの解像度がHDの解像度であり、上述した図２のケース１に相当する。
【００９５】
放送中の番組コンテンツの解像度がHDの解像度である場合、解像度情報取得部５２は、放送中の番組コンテンツの解像度を、録画対象のコンテンツの解像度に決定し、決定した解像度情報を、記録制御部５３に供給する。このとき、解像度情報取得部５２は、デコーダ２３からの放送中の番組コンテンツのビデオデータから取得したHDの解像度情報を、放送中の番組コンテンツに対応する放送波およびチャンネルの情報とともに、データベース更新部５４に供給する。
【００９６】
ステップＳ１７において、記録制御部５３は、エンコーダ２４およびHDD２５を制御し、解像度情報取得部５２からの放送中の番組コンテンツのHDの解像度で、録画を開始させる。
【００９７】
すなわち、記録制御部５３は、エンコーダ２４を制御し、解像度情報取得部５２からの放送中の番組コンテンツのHDの解像度で、録画対象のコンテンツを符号化させ、HDD２５を制御し、エンコーダ２４により符号化されたデータを記録させる。その後、処理は、ステップＳ２０に進む。
【００９８】
エンコーダ２４は、デコーダ２３により復号されたビデオデータを、放送中の番組コンテンツのHDの解像度で、所定の符号化方式で符号化し、符号化したビデオデータを、HDD２５に出力する。また、エンコーダ２４は、デコーダ２３により復号されたオーディオデータも、所定の符号化方式で符号化し、符号化したオーディオデータを、HDD２５に出力する。HDD２５は、記録制御部５３の制御のもと、エンコーダ２４からのビデオデータおよびオーディオデータを記録する。
【００９９】
一方、ステップＳ１１において、録画対象の番組コンテンツの解像度がHDの解像度ではないと判定された場合、すなわち、録画対象の番組コンテンツの解像度がSDの解像度である場合、処理は、ステップＳ１８に進む。
【０１００】
録画対象の番組コンテンツが、SD放送である場合、解像度情報取得部５２は、SDの解像度を、録画対象のコンテンツの解像度に決定し、決定した解像度情報を、記録制御部５３に供給する。ステップＳ１８において、記録制御部５３は、エンコーダ２４およびHDD２５を制御し、解像度情報取得部５２からのSDの解像度で、録画を開始させる。
【０１０１】
すなわち、記録制御部５３は、エンコーダ２４を制御し、解像度情報取得部５２からのSDの解像度で、録画対象のコンテンツを符号化させ、HDD２５を制御し、エンコーダ２４により符号化されたデータを記録させる。
【０１０２】
エンコーダ２４は、デコーダ２３により復号されたビデオデータを、SDの解像度で、所定の符号化方式で符号化し、符号化したビデオデータを、HDD２５に出力する。また、エンコーダ２４は、デコーダ２３により復号されたオーディオデータも、所定の符号化方式で符号化し、符号化したオーディオデータを、HDD２５に出力する。HDD２５は、記録制御部５３の制御のもと、エンコーダ２４からのビデオデータおよびオーディオデータを記録する。
【０１０３】
ステップＳ１９において、解像度情報取得部５２は、デコーダ２３からの放送中の番組コンテンツのビデオデータより解像度情報を取得し、放送中の番組コンテンツの解像度がHDの解像度であるか否かを判定する。ステップＳ１９において、放送中の番組コンテンツの解像度がHDの解像度であると判定された場合、処理は、ステップＳ２０に進む。
【０１０４】
すなわち、この場合、放送中の番組コンテンツの解像度がHDの解像度であり、上述した図２のケース４に相当する。このとき、解像度情報取得部５２は、デコーダ２３からの放送中の番組コンテンツのビデオデータから取得したHDの解像度情報を、放送中の番組コンテンツに対応する放送波およびチャンネルの情報とともに、データベース更新部５４に供給する。
【０１０５】
ステップＳ２０において、データベース更新部５４は、解像度情報取得部５２からの放送中の番組コンテンツのHDの解像度と、放送中の番組コンテンツの放送波に対応する放送波別DB６１のHDの解像度が異なるかを判定する。異なると判定された場合、処理は、ステップＳ２１に進む。
【０１０６】
ステップＳ２１において、データベース更新部５４は、解像度情報取得部５２からの放送中の番組コンテンツのチャンネルに対応する解像度情報が、チャンネル別DB６２にあるか否かを判定する。ステップＳ２１において、解像度情報取得部５２からの放送中の番組コンテンツのチャンネルに対応する解像度情報が、チャンネル別DB６２にないと判定された場合、処理は、ステップＳ２２に進む。
【０１０７】
ステップＳ２２において、データベース更新部５４は、解像度情報取得部５２から供給された放送中の番組コンテンツのHDの解像度で、チャンネル別DB６２を更新する。すなわち、データベース更新部５４は、解像度情報取得部５２から供給されたチャンネルのHDの解像度情報を、チャンネル別DB６２に記憶し、チャンネル別DB６２を更新する。
【０１０８】
ステップＳ２１において、解像度情報取得部５２からの放送中の番組コンテンツのチャンネルに対応する解像度情報が、チャンネル別DB６２にあると判定された場合、すでに工場出荷時の解像度情報が更新された状態であるので、録画準備処理は終了される。
【０１０９】
ステップＳ１９において、放送中の番組コンテンツの解像度がHDの解像度ではないと判定された場合、録画準備処理は終了される。すなわち、この場合、放送中の番組コンテンツの解像度がSDの解像度であり、上述した図２のケース３に相当する。
【０１１０】
以上のように、解像度情報を解像度情報DB４１に予め記憶しておき、録画開始前に、同じチャンネルの放送中の番組コンテンツがSD放送である場合、解像度情報DB４１の解像度情報を用いて、録画対象のHD放送の番組コンテンツを記録するようにした。
【０１１１】
これにより、SD放送とHD放送とが混在しているチャンネルにおいて、解像度の切り替わりのタイミングで録画を開始する場合でも、頭が欠けることなく、放送と同じ解像度で録画を開始することができる。
【０１１２】
例えば、実際は、1440×1080の解像度であるのに、1920×1080の解像度でデータを符号化してしまうと、無駄に記録容量が大きくなってしまう。これに対して、実際は、1920×1080の解像度であるのに、1440×1080の解像度でデータを符号化してしまうと、データの品質が劣化してしまう。
【０１１３】
これに対して、記録再生装置１１においては、放送と同じ解像度で録画を開始することができるので、上述した記録容量の増大を抑制するとともに、HD放送の番組コンテンツの録画時における品質の劣化を抑制することができる。
【０１１４】
また、記録再生装置１１においては、放送中の番組コンテンツのHDの解像度で、解像度情報DB４１を更新するようにしたので、あるチャンネルにおけるHDの解像度が途中で変更された場合であっても、放送と同じ解像度で録画を開始することができる。
【０１１５】
なお、上記説明においては、図６の録画開始前の録画準備処理の際に、解像度情報DB４１（チャンネル別DB６２）を更新するように説明したが、データベースの更新タイミングは、図６の例に限らない。データベースの更新タイミングは、いつでもよいが、例えば、ユーザがチャンネルを変更したタイミングであってもよいし、記録再生装置１１が待機状態であるときであってもよい。
【０１１６】
また、上記説明においては、解像度情報DB４１を、放送波別DB６１とチャンネル別DB６２で構成するようにしたが、解像度情報DB４１をチャンネル別DB６２のみで構成することもできる。
【０１１７】
この場合には、全チャンネルのHDの解像度情報が予め工場出荷時に記憶される。そして、工場出荷時のチャンネル別DB６２の情報と、実際の放送の解像度が異なるときには、実際の放送のHDの解像度情報で、チャンネル別DB６２の情報が更新される。
【０１１８】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な汎用のパーソナルコンピュータなどに、プログラム記録媒体からインストールされる。
【０１１９】
図７は、上述した一連の処理をプログラムにより実行するコンピュータのハードウエアの構成例を示すブロック図である。
【０１２０】
CPU(Central Processing Unit)１０１、ROM(Read Only Memory)１０２、RAM(Random Access Memory)１０３は、バス１０４により相互に接続されている。
【０１２１】
バス１０４には、さらに、入出力インタフェース１０５が接続されている。入出力インタフェース１０５には、キーボード、マウス、マイクロホンなどよりなる入力部１０６、ディスプレイ、スピーカなどよりなる出力部１０７、ハードディスクや不揮発性のメモリなどよりなる記憶部１０８、ネットワークインタフェースなどよりなる通信部１０９、光ディスクや半導体メモリなどのリムーバブルメディア１１１を駆動するドライブ１１０が接続されている。
【０１２２】
以上のように構成されるコンピュータでは、CPU１０１が、例えば、記憶部１０８に記憶されているプログラムを入出力インタフェース１０５及びバス１０４を介してRAM１０３にロードして実行することにより、上述した一連の処理が行われる。
【０１２３】
CPU１０１が実行するプログラムは、例えばリムーバブルメディア１１１に記録して、あるいは、ローカルエリアネットワーク、インターネット、デジタル放送といった、有線または無線の伝送媒体を介して提供され、記憶部１０８にインストールされる。
【０１２４】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１２５】
また、本明細書において、システムとは、複数の装置により構成される装置全体を表すものである。
【０１２６】
本発明の実施の形態は、上述した実施の形態に限定されるものではなく、本発明の要旨を逸脱しない範囲において種々の変更が可能である。
【図面の簡単な説明】
【０１２７】
【図１】本発明の一実施形態に係る記録再生装置の構成例を示すブロック図である。
【図２】番組コンテンツを番組の冒頭から録画する場合について説明する図である。
【図３】図１の記録再生装置の機能構成例を示すブロック図である。
【図４】放送波別DBの構成例を示す図である。
【図５】チャンネル別DBの構成例を占めす図である。
【図６】図１の記録再生装置の録画準備処理を説明するフローチャートである。
【図７】コンピュータのハードウエアの構成例を示すブロック図である。
【符号の説明】
【０１２８】
１１  記録再生装置，  ２１  デジタルチューナ，  ２２  デマルチプレクサ，  ２３  デコーダ，  ２４  エンコーダ，  ２５  HDD，  ３１  CPU，  ３２  RAM，  ３３  不揮発性メモリ，  ４１  解像度情報DB，  ５１  番組情報取得部，  ５２  解像度情報取得部，  ５３  記録制御部，  ５４  データベース更新部，  ６１  放送波別DB，６２  チャンネル別DB
【図１】
2010068284.tif 000003
【図２】
2010068284.tif 000004
【図３】
2010068284.tif 000005
【図４】
2010068284.tif 000006
【図５】
2010068284.tif 000007
【図６】
2010068284.tif 000008
【図７】
2010068284.tif 000009